(57)【要約】【課題】十分にバストを支えることができ、また、着け心地の良いブラジャーのサポートカップを提供する。【解決手段】カップ状に発泡材で形成された第１層５０２と、カップ状に発泡材で形成され、第１層５０２の一方の表面に取り付けられた第２層５０４とを備えるブラジャー用のサポートカップ１００であって、第１層５０２の一方の表面に設けられ、第１層５０２の中央部から放射状に延びる複数の溝１１２、１１４、および１１６と、溝１１２、１１４、および１１６に嵌め込まれて第１層５０２の中央部から放射状に延びるとともに、第１層５０２と第２層５０４との間に挟み込まれた複数の補強材１０６、１０８、および１１０とを備えるサポートカップ１００。【選択図】図１
2007039865.tif 000002
【特許請求の範囲】
【請求項１】
カップ状に発泡材で形成された第１層と、
カップ状に発泡材で形成され、前記第１層の一方の表面に取り付けられた第２層とを備えるブラジャー用のサポートカップであって、
前記第１層の一方の表面に設けられ、前記第１層の中央部から放射状に延びる複数の溝と、
前記溝に嵌め込まれて前記第１層の中央部から放射状に延びるとともに、前記第１層と前記第２層との間に挟み込まれた複数の補強材とを備えるサポートカップ。
【請求項２】
前記第１層および前記第２層は、
上向きに凸の円弧状に形成された上縁と、
下向きに凸の円弧状に形成された下縁とを有し、
前記上縁と前記下縁とが前記サポートカップの左右端で交わるように、前記上縁を形成する円弧の中心点の位置が、前記下縁を形成する円弧の中心点の位置よりも下に設定されていることを特徴とする請求項１に記載のサポートカップ。
【請求項３】
前記第１層は、
前記第１層の中央部から下方向に延びる中央溝と、
前記第１層の中央部から前記中央溝に対してそれぞれ４５°の角度で下方向に延びる左溝および右溝とを備えることを特徴とする請求項１または２に記載のサポートカップ。
【請求項４】
前記補強材は、プラスチック製であることを特徴とする請求項１ないし３のいずれかに記載のサポートカップ。
【請求項５】
前記補強材は短冊状の板材であり、
前記サポートカップの中央部に配設された前記補強材の一方端部は、前記サポートカップの下縁部に配設された前記補強材の他方端部よりも厚く形成されており、
前記補強材の他方端は、円弧状に形成されていることを特徴とする請求項１ないし４のいずれかに記載のサポートカップ。
【請求項６】
前記補強材の一方端部および他方端部は、それぞれ均一な厚さの長方形状の断面を有し、
前記一方端部と前記他方端部とは、テーパー状の断面を有する接続部を介して接続されていることを特徴とする請求項５に記載のサポートカップ。
【請求項７】
前記第１層と前記第２層とは、ポリウレタン製であることを特徴とする請求項１ないし６のいずれかに記載のサポートカップ。
【請求項８】
前記第１層は、その中央部が最も厚く形成されていることを特徴とする請求項１ないし７のいずれかに記載のサポートカップ。
【請求項９】
前記第２層は、前記第１層よりも薄く、かつ、均一な厚さで形成されていることを特徴とする請求項１ないし８のいずれかに記載のサポートカップ。
【請求項１０】
前記第１層および前記第２層の外表面を覆う被覆材を備えていることを特徴とする請求項１ないし９のいずれかに記載のサポートカップ。
【請求項１１】
請求項１ないし１０のいずれかに記載のサポートカップを備えることを特徴とするブラジャー。
【請求項１２】
カップ状に発泡材で形成された第１層と、
カップ状に発泡材で形成され、前記第１層の一方の表面に取り付けられた第２層とを備えるブラジャー用のサポートカップの製造方法であって、
前記第１層を発泡材でカップ状に形成するとともに、前記第１層の一方の表面に前記第１層の中央部から放射状に延びる複数の溝を形成し、
前記溝に前記第１層の中央部から放射状に延びる複数の補強材を嵌め込み、
前記第２層を発泡材でカップ状に形成するとともに、前記第２層を前記第１層の一方の表面に前記補強材を挟み込むようにして取り付けるサポートカップの製造方法。
【発明の詳細な説明】
【技術分野】
【０００１】
本発明は、ブラジャーに用いられるサポートカップ、これを備えるブラジャー、およびサポートカップの製造方法に関する。
【背景技術】
【０００２】
女性のバストに装着するブラジャーには「バストを支える」機能だけでなく、「着け心地の良さ」が求められており、従来は、ブラジャーのカップ部の下縁にワイヤーを取り付け、当該カップ部がバストを支持する力を高めていた（例えば、特許文献１）。
【０００３】
しかし、ブラジャーの装着時において、このワイヤーは直接または布地などを介してバストの下縁を押圧するので、ワイヤー入りのブラジャーは長時間着用した場合の着け心地が悪いという問題があった。このことは、バストを支えるために丈夫なワイヤーを用いることが必要となる大きなサイズのバストに適用するブラジャーにおいて顕著であった。一方、ワイヤーの替わりに軟らかい素材を用いると、着け心地を改善することができるものの、ブラジャーのカップ部に十分な支持力を付与することができず、十分にバストを支えることができなかった。
【特許文献１】特開２００１−１１５３０７
【発明の開示】
【発明が解決しようとする課題】
【０００４】
本発明は、このような従来の問題点に鑑みて開発されたものである。それゆえに本発明の主たる課題は、大きなバストサイズに適用する場合であっても十分にバストを支えることができるとともに、着け心地の良いブラジャーのサポートカップを提供することにある。
【課題を解決するための手段】
【０００５】
請求項１に記載した発明は、「カップ状に発泡材で形成された第１層５０２と、カップ状に発泡材で形成され、第１層５０２の一方の表面に取り付けられた第２層５０４とを備えるブラジャー用のサポートカップ１００であって、第１層５０２の一方の表面に設けられ、第１層５０２の中央部から放射状に延びる複数の溝１１２、１１４、および１１６と、溝１１２、１１４、および１１６に嵌め込まれて第１層５０２の中央部から放射状に延びるとともに、第１層５０２と第２層５０４との間に挟み込まれた複数の補強材１０６、１０８、および１１０とを備えるサポートカップ１００。」である。
【０００６】
本発明によれば、サポートカップ１００の中央から放射状に配設された補強材１０６、１０８、および１１０は、バストの重量によりサポートカップ１００が変形するのを抑制するので、サポートカップ１００の支持力が高まる。また、補強材１０６、１０８、および１１０は、第１層５０２と第２層５０４との間に挟み込まれており、バストに直接触れることがない。
【０００７】
請求項２に記載した発明は、請求項１に係るサポートカップにおいて「第１層５０２および第２層５０４は、上向きに凸の円弧状に形成された上縁１０２と、下向きに凸の円弧状に形成された下縁１０４とを有し、上縁１０２と下縁１０４とがサポートカップ１００の左右端で交わるように、上縁１０２を形成する円弧の中心点の位置が、下縁１０４を形成する円弧の中心点の位置よりも下に設定されていること」を特徴とする。
【０００８】
請求項３に記載した発明は、請求項１または２に係るサポートカップ１００において「第１層５０２は、第１層５０２の中央部から下方向に延びる中央溝１１６と、第１層５０２の中央部から中央溝１１６に対してそれぞれ４５°の角度で下方向に延びる左溝１１２および右溝１１４とを備えること」を特徴とする。
【０００９】
請求項４に記載した発明は、請求項１ないし３のいずれかに係るサポートカップ１００において「補強材１０６、１０８、および１１０は、プラスチック製であること」を特徴とする。
【００１０】
請求項５に記載した発明は、請求項１ないし４のいずれかに係るサポートカップ１００において「補強材１０６、１０８、および１１０は短冊状の板材であり、サポートカップ１００の中央部に配設された補強材１０６、１０８、および１１０の一方端部４０２は、サポートカップ１００の下縁１０４部に配設された補強材１０６、１０８、および１１０の他方端部４０４よりも厚く形成されており、補強材１０６、１０８、および１１０の他方端４０８は、円弧状に形成されていること」を特徴とする。
【００１１】
本発明によれば、補強材１０６、１０８、および１１０の各一方端部４０２よりも各他方端部４０４は薄く形成されているので、サポートカップ１００の中央部においてバストを支持する能力を損なうことなく、サポートカップ１００の下縁１０４部の柔軟性が維持される。
【００１２】
請求項６に記載した発明は、請求項５に係るサポートカップにおいて「補強材１０６、１０８、および１１０の一方端部４０２および他方端部４０４は、それぞれ均一な厚さの長方形状の断面を有し、一方端部４０２と他方端部４０４とは、テーパー状の断面を有する接続部４０６を介して接続されていること」を特徴とする。
【００１３】
本発明によれば、補強材１０６、１０８、および１１０の厚さが接続部４０６において徐々に変化するので、補強材１０６、１０８、および１１０には、バストの重量による応力が集中する「厚さが急激に変化する部分」が存在しない。
【００１４】
請求項７に記載した発明は、請求項１ないし６のいずれかに係るサポートカップ１００において「第１層５０２と第２層５０４とは、ポリウレタン製であること」を特徴とする。
【００１５】
請求項８に記載した発明は、請求項１ないし７のいずれかに係るサポートカップ１００において「第１層５０２は、その中央部が最も厚く形成されていること」を特徴とする。
【００１６】
本発明によれば、第１層５０２の中央部が最も厚く形成されているので、サポートカップ１００をバストに装着したとき、補強材１０６、１０８、および１１０の一方端部４０２の輪郭がサポートカップ１００の外側表面に浮き出ることがない。
【００１７】
請求項９に記載した発明は、請求項１ないし８のいずれかに係るサポートカップ１００において「第２層５０４は、第１層５０２よりも薄く、かつ、均一な厚さで形成されていること」を特徴とする。
【００１８】
請求項１０に記載した発明は、請求項１ないし９のいずれかに係るサポートカップ１００が「第１層５０２および第２層５０４の外表面を覆う被覆材５０６および５０８を備えていること」を特徴とする。
【００１９】
請求項１１に記載した発明は、「請求項１ないし１０のいずれかに係るサポートカップを備えることを特徴とするブラジャー。」である。
【００２０】
請求項１２に記載した発明は、「カップ状に発泡材で形成された第１層５０２と、カップ状に発泡材で形成され、第１層５０２の一方の表面に取り付けられた第２層５０４とを備えるブラジャー用のサポートカップ１００の製造方法であって、第１層５０２を発泡材でカップ状に形成するとともに、第１層５０２の一方の表面に第１層５０２の中央部から放射状に延びる複数の溝１１２、１１４、および１１６を形成し、溝１１２、１１４、および１１６に第１層５０２の中央部から放射状に延びる複数の補強材１０６、１０８、および１１０を嵌め込み、第２層５０４を発泡材でカップ状に形成するとともに、第２層５０４を第１層５０２の一方の表面に補強材１０６、１０８、および１１０を挟み込むようにして取り付けるブラジャー用のサポートカップ１００の製造方法。」である。
【発明の効果】
【００２１】
本発明によれば、サポートカップの支持力が高まるので、サポートカップは、十分にバストを支えることができる。また、補強材がバストを直接押圧することがないので、着け心地の良いサポートカップを提供することができる。
【００２２】
また、請求項５に記載した発明によれば、バストを支持する能力を損なうことなく、サポートカップの下縁部の柔軟性が維持されるので、より「着け心地の良い」サポートカップを提供することができる。
【００２３】
また、請求項６に記載した発明によれば、バストの重量による応力が集中して補強材の一部にかかることがないので、補強材が破損し難い。
【００２４】
また、請求項８に記載した発明によれば、補強材の輪郭がサポートカップの外表面に浮き出ることがないので、サポートカップを装着したときにサポートカップの見栄えが悪くならない。
【００２５】
また、請求項１０に記載した発明によれば、第１層および第２層の材質にかかわらず、自由に被覆材の材質を選んで「デザイン」や「肌触り」の異なる多種多様なサポートカップを提供することができる。
【００２６】
また、請求項１１に記載した発明によれば、十分にバストを支えることができるとともに、着け心地の良いブラジャーを提供することができる。
【００２７】
さらに、請求項１２に記載した発明によれば、十分にバストを支えることができるとともに、着け心地の良いブラジャー用のサポートカップを製造することができる。
【発明を実施するための最良の形態】
【００２８】
以下、本発明を図面に従って説明する。本発明に係るサポートカップ１００は、ブラジャーカップ部分の内側に挿入され、バストを包み込むように装着して使用されるものであり、図１、図３、および図５に示すように、第１層５０２と、第２層５０４と、３つの補強材１０６、１０８、および１１０とで大略構成されている。
【００２９】
第１層５０２および第２層５０４は、図１に示すように、カップ状に構成されている。
【００３０】
第１層５０２および第２層５０４の上縁１０２は、上向きに凸の円弧状に形成されており、下縁１０４は、下向きに凸の円弧状に形成されている。また、上縁１０２および下縁１０４を構成する円弧は、それぞれの中心点からの半径がほぼ一定の真円弧である。さらに、上縁１０２を構成する円弧の中心は、下縁１０４を構成する円弧の中心よりも下側に設定されており、上縁１０２と下縁１０４とは、それぞれサポートカップ１００の左右端で交わるようになっている。
【００３１】
また、第１層５０２の内側の表面には、補強材１０６、１０８、および１１０をそれぞれ嵌め合わせるための溝１１２、１１４、および１１６が形成されている。
【００３２】
補強材１０６、１０８、および１１０は、サポートカップ１００に埋め込まれた短冊状のプラスチック製部材であり、溝１１２、１１４、および１１６に嵌り込むことができるように、溝１１２、１１４、および１１６の幅よりもやや狭い幅に形成されている。補強材１０６は、サポートカップ１００の略中央部から図１中の左下方向へ向けて配設されており、補強材１０８は、サポートカップ１００の略中央部から図１中の右下方向へ向けて配設されている。また、補強材１１０はサポートカップ１００を正面から見たときにおいて、サポートカップ１００の略中央部から下方向に配設されている。なお、「下方向」とは、サポートカップ１００を装着した人が直立したときにおける鉛直下向きの方向をいう。
【００３３】
また、補強材１０６および１０８は、それぞれ補強材１１０に対して約４５°の角度で配設されている。つまり、補強材１０６、１０８、および１１０は、それぞれサポートカップ１００の略中央部から下縁１０４に向けて放射状に配設されている。
【００３４】
また、サポートカップ１００を側面から見ると、図２に示すように、上縁１０２は略直線状の縁部２０２を形成している。また、下縁１０４も同様に、略直線状の縁部２０４を形成している。
【００３５】
さらに、サポートカップ１００の厚さは、図３に示すように、中央部３０４において最も厚く形成されている。また、サポートカップ１００の上部３０２は、上縁１０２において最も薄く、中央部３０４に近づくにつれて徐々に厚くなるように形成されており、下部３０６は、下縁１０４において最も薄く、中央部３０４に近づくにつれて徐々に厚くなるように形成されている。
【００３６】
次に、補強材１０６、１０８、および１１０について詳細に説明する。なお、補強材１０６、１０８、および１１０はそれぞれ同一の形状を有しているので、これら補強材１０６、１０８、および１１０の代表として補強材１０６を図４（ａ）および（ｂ）に示す。
【００３７】
補強材１０６は、補強材１０６の一方端部である支持部４０２と、補強材１０６の他方端部である可撓部４０４と、支持部４０２および可撓部４０４の間に設けられた接続部４０６とで構成された短冊状の板材である。
【００３８】
支持部４０２は、図４（ａ）に示すように平面視長方形状であってほぼ均一な厚さに形成されている（図４（ｂ）参照）。また、支持部４０２は補強材１０６全体の長さの大部分を占めており、サポートカップ１００に対して支持力を付与する。
【００３９】
可撓部４０４は、平面視長方形状であって、支持部４０２よりも薄くほぼ均一な厚さで形成されている。また、可撓部４０４の端部、すなわち補強材１０６の他方端４０８は円弧状に形成されている。なお、可撓部４０４の形状は、支持部４０２よりも幅の狭い形状であってもよい。
【００４０】
接続部４０６は、支持部４０２と可撓部４０４との間に配設され、支持部４０２と可撓部４０４とを接続するために設けられたテーパー状の断面を有する部分である。
【００４１】
なお、補強材１０６は、半円状に形成された可撓部４０４の他方端４０８を下縁１０４側にしてサポートカップ１００に埋設されている。
【００４２】
このような補強材１０６がサポートカップ１００に埋設された状態を図５に示す。サポートカップ１００は、補強材１０６のほか、第１層５０２、第２層５０４、外側布地５０６、および内側布地５０８で構成されており、第１層５０２および第２層５０４は、被覆材としての外側布地５０６および内側布地５０８で覆われている。なお、第１層５０２および第２層５０４はウレタンフォームで形成されており、外側布地５０６および内側布地５０８はポリエステルで形成されている。また、第１層５０２は、サポートカップ１００の中央部に向かってより厚くなるように形成されており、一方、第２層５０４は、ほぼ均一な厚さを有している。さらに、第１層５０２には補強材１０６、１０８、および１１０をそれぞれ嵌め合わせる溝１１２、１１４、および１１６が形成されている。なお、これら溝１１２、１１４、および１１６は、図１に示すように、補強材１０６、１０８、および１１０が取り付けられる位置に形成されている。
【００４３】
上述したような構成を備えることにより、サポートカップ１００では、サポートカップ１００の中央部から放射状に配設された補強材１０６、１０８、および１１０がバストの重量によりサポートカップ１００が変形するのを抑制するので、サポートカップ１００の支持力が高まる。また、補強材１０６、１０８、および１１０は第１層５０２と第２層５０４との間に挟み込まれており、バストに直接触れることがない。
【００４４】
また、サポートカップ１００の中央部に配設された補強材１０６、１０８、および１１０の各支持部４０２よりも各可撓部４０４は薄く形成されているので、サポートカップ１００の中央部においてバストを支持する能力を損なうことなく、サポートカップ１００の下縁１０４部の柔軟性が維持される。
【００４５】
また、補強材１０６、１０８、および１１０の厚さは接続部４０６において徐々に変化するので、補強材１０６、１０８、および１１０には、バストの重量による応力が集中する「厚さが急激に変化する部分」が存在しない。
【００４６】
また、第１層５０２はサポートカップ１００の中央部で最も厚く形成されているので、サポートカップ１００をバストに装着したときに、補強材１０６、１０８、および１１０の支持部４０２の輪郭がサポートカップ１００の外側表面に浮き出ることがない。
【００４７】
したがって、本発明によれば、サポートカップ１００の支持力が高まるので、サポートカップ１００は十分にバストを支えることができる。
【００４８】
また、補強材１０６、１０８、および１１０が直接バストに触れることなく、また、サポートカップ１００の下縁１０４部の柔軟性が損なわれないので、「着け心地の良い」サポートカップを提供することができる。
【００４９】
また、バストの重量による応力が集中して補強材１０６、１０８、および１１０の一部にかかることがないので、サポートカップ１００を装着したときに補強材１０６、１０８、および１１０が破損し難い。
【００５０】
また、補強材１０６、１０８、および１１０の輪郭がサポートカップの外側表面に浮き出ることがないので、サポートカップ１０を装着したときの見栄えが悪くならない。
【００５１】
さらに、第１層５０２および第２層５０４は、被覆材としての外側布地５０６および内側布地５０８で覆われているので、第１層５０２および第２層５０４の材質にかかわらず、自由に外側布地５０６および内側布地５０８の材質を選んで「デザイン」や「肌触り」の異なる多種多様なサポートカップを提供することができる。
【００５２】
また、本件発明に係るサポートカップ１００を２つ連結し、必要に応じて肩ストラップなどを取り付けることにより、十分にバストを支えることができるとともに、着け心地の良いブラジャーを提供することができる。
【００５３】
次に、本件発明に係るサポートカップ１００の製造方法について、図６に基づいて説明する。
【００５４】
まず、カップ状に形成された金型により第１層５０２を成型する（ステップ６０２）。なお、この金型は、後の工程で補強材１０６、１０８、および１１０を嵌め込むための溝を第１層５０２の内側に形成するためのリブを含むカップ状に形成されている。このとき、約２００℃の温度に設定した金型でウレタンフォームを約２分３０秒間加熱して第１層５０２を成型する。
【００５５】
次に、補強材１０６、１０８、および１１０を第１層５０２に設けられた溝１１２、１１４、および１１６に嵌め込む（ステップ６０４）。
【００５６】
そして、カップ状に形成された金型により第２層５０４を成型し、補強材１０６、１０８、および１１０を収容した第１層５０２の内側に第２層５０４を融着する（ステップ６０６）。なお、第１層５０２と第２層５０４との融着は、約２００℃に設定した金型で第２層５０４を押圧するとともに、約１９０℃に設定した金型で第１層５０２を押圧して行う。
【００５７】
最後に、サポートカップ１００を少なくとも８分間冷却し（ステップ６０８）、サポートカップ１００の製造が完了する。
【００５８】
なお、本実施例では、補強材１０６、１０８、および１１０にプラスチックが用いられているが、補強材１０６、１０８、および１１０の材質はこれに限られるものではなく、形状記憶合金、紙、および木材など他の材質を用いることができる。
【００５９】
また、本実施例では、短冊状の補強材１０６、１０８、および１１０が用いられているが、補強材１０６、１０８、および１１０の形状はこれに限られるものではく、棒状や角柱状であってもよい。
【００６０】
また、本実施例では、第１層５０２および第２層５０４にウレタンフォームが用いられているが、第１層５０２および第２層５０４の材質はこれに限られるものではなく、発泡材であれば他の材質を用いることができる。
【００６１】
また、本実施例では、補強材１０６、１０８、および１１０が嵌め込まれる溝１１２、１１４、および１１６が第１層５０２に設けられているが、これら溝１１２、１１４、および１１６を第２層５０４に設けてもよい。
【００６２】
また、本実施例では、第１層５０２と第２層５０４とが融着されているが、第１層５０２に第２層５０４を取り付ける手段はこれに限られず、接着剤により接着するなど他の方法を用いてもよい。
【００６３】
また、本実施例では、外側布地５０６および内側布地５０８はポリエステルで形成されているが、外側布地５０６および内側布地５０８の材質はこれに限られるものではなく、サポートカップ１００に求められる「デザイン」や「肌触り」などの要求に応じて他の材質を用いることができる。
【００６４】
さらに、サポートカップ１００の形状は本実施例に記載した形状に限られず、他の形状であってもよい。
【図面の簡単な説明】
【００６５】
【図１】本件発明にかかるブラジャー用のサポートカップを示す正面図である。
【図２】本件発明にかかるブラジャー用のサポートカップを示す側面図である。
【図３】図１におけるIII−III矢視による断面図である。
【図４】（ａ）本件発明にかかる補強材を示す正面図である。
【００６６】
（ｂ）本件発明にかかる補強材を示す平面図である。
【図５】図１に示すブラジャー用のサポートカップにおける補強材の位置を示す、サポートカップの下端から中央部までの断面図である。
【図６】図１に示すブラジャー用のサポートカップの製造に用いられるフローチャートを示す。
【符号の説明】
【００６７】
１００…サポートカップ
１０２…上縁
１０４…下縁
１０６…補強材
１０８…補強材
１１０…補強材
１１２…溝
１１４…溝
１１６…溝
２０２…縁部
２０４…縁部
３０２…上部
３０４…中央部
３０６…下部
４０２…支持部
４０４…可撓部
４０６…接続部
５０２…第１層
５０４…第２層
５０６…外側布地
５０８…内側布地
【図１】
2007039865.tif 000003
【図２】
2007039865.tif 000004
【図３】
2007039865.tif 000005
【図４】
2007039865.tif 000006
【図５】
2007039865.tif 000007
【図６】
2007039865.tif 000008